(57)【要約】【課題】薬品を冷却しながら保管する薬品保管庫において、処方データに基づいた薬品が確実に取り出されるようにする。【解決手段】薬品保管庫１は、薬品を保管する保管室１０内を冷却装置Ｒにより所定温度に冷却する。保管室１０内において回転可能に設けられた複数段の棚４と、棚４それぞれに複数構成され、薬品を収納する収納区画３１と、棚を回転させるモータと、各棚のそれぞれに対応して複数構成され、何れかの収納区画内の薬品のみを取り出し可能な開口３６と、各開口をそれぞれ開閉自在に閉塞する複数の扉３７と、各扉をそれぞれ施錠する複数のロックソレノイドと、モータ及びロックソレノイドを制御する制御装置を備える。制御装置は処方データに基づき棚を回転させて所定の収納区画を開口に対応させ、ロックソレノイドを解錠する。【選択図】図５
2008119040.tif 000002
【特許請求の範囲】
【請求項１】
薬品を保管する保管室内を冷却装置により所定温度に冷却して成る薬品保管庫において、
前記保管室内において回転可能に設けられた複数段の棚と、
各棚のそれぞれに複数構成され、薬品を収納する収納区画と、
前記棚を回転させるための駆動手段と、
前記各棚のそれぞれに対応して複数構成され、何れかの前記収納区画内の薬品のみを取り出し可能な開口と、
各開口をそれぞれ開閉自在に閉塞する複数の扉と、
各扉をそれぞれ施錠する複数の施錠手段と、
前記駆動手段及び施錠手段を制御する制御手段とを備え、
該制御手段は、処方データに基づき、前記駆動手段により前記棚を回転させて所定の前記収納区画を前記開口に対応させ、当該開口を閉塞する前記扉の施錠手段を解錠することを特徴とする薬品保管庫。
【請求項２】
前記棚に着脱自在に取り付けられた複数の収納容器内に前記各収納区画がそれぞれ構成されると共に、前記収納容器は前記開口より取り出し可能とされていることを特徴とする請求項１に記載の薬品保管庫。
【請求項３】
表示手段を備え、前記制御手段は、前記処方データに基づき、取り出す薬品の個数を前記表示手段にて表示することを特徴とする請求項１又は請求項２に記載の薬品保管庫。
【請求項４】
前記表示手段は、前記各扉のそれぞれに対応して複数設けられていることを特徴とする請求項３に記載の薬品保管庫。
【請求項５】
前記駆動手段は、前記各棚のそれぞれに対応して複数設けられていることを特徴とする請求項１乃至請求項４の何れかに記載の薬品保管庫。
【請求項６】
前記駆動手段は前記保管室内に設けられると共に、該保管室内には通電されて前記棚の回転を許容し、非通電とされて前記棚の回転を禁止する回転阻止手段が設けられ、
前記制御手段は、前記棚を回転させない状態で、前記駆動手段及び回転阻止手段を非通電とすることを特徴とする請求項１乃至請求項５の何れかに記載の薬品保管庫。
【請求項７】
前記制御手段は、待機状態において前記駆動手段により前記棚を回転させることを特徴とする請求項１乃至請求項６の何れかに記載の薬品保管庫。
【発明の詳細な説明】
【技術分野】
【０００１】
本発明は、血液や試薬などの薬品を冷却しながら保管する薬品保管庫に関するものである。
【背景技術】
【０００２】
従来より血液や要冷蔵の薬剤などの薬品を保管する際には、その保存に適した温度（例えば＋４℃程）に冷却しながら保管する保管庫が用いられている（例えば、特許文献１参照）。この種薬品保管庫では、薬品の凍結や劣化を防ぐために家庭用の冷蔵庫などに比して厳密な温度管理が成されると共に、誤処方や不正な持ち出しを禁止するために施錠され、取り出す際には解錠を要するものとされていた。
【特許文献１】特開２０００−１０２５９４号公報
【特許文献２】特開平７−２４０４４号公報
【発明の開示】
【発明が解決しようとする課題】
【０００３】
しかしながら、従来の薬品保管庫では棚上に薬品を並べて収納しており、解錠後、作業者が処方に基づいて棚上の薬品を選び出し、取り出す方式が採られていたため、誤った薬品が持ち出される危険性があった。これを防止するために、棚上を区画して処方された薬品が収納されている区画を表示できるようにしたものもあるが、この場合にも表示を誤認した場合、或いは、表示されたものとは異なる区画の薬品を意図的に取り出された場合には、係る問題を解決できない欠点があった（例えば、特許文献２参照）。
【０００４】
本発明は、係る従来の技術的課題を解決するために成されたものであり、薬品を冷却しながら保管する薬品保管庫において、処方データに基づいた薬品が確実に取り出されるようにすることを目的とするものである。
【課題を解決するための手段】
【０００５】
本発明の薬品保管庫は、薬品を保管する保管室内を冷却装置により所定温度に冷却して成るものであって、保管室内において回転可能に設けられた複数段の棚と、各棚のそれぞれに複数構成され、薬品を収納する収納区画と、棚を回転させるための駆動手段と、各棚のそれぞれに対応して複数構成され、何れかの収納区画内の薬品のみを取り出し可能な開口と、各開口をそれぞれ開閉自在に閉塞する複数の扉と、各扉をそれぞれ施錠する複数の施錠手段と、駆動手段及び施錠手段を制御する制御手段とを備え、この制御手段は、処方データに基づき、駆動手段により棚を回転させて所定の収納区画を開口に対応させ、当該開口を閉塞する扉の施錠手段を解錠することを特徴とする。
【０００６】
請求項２の発明の薬品保管庫は、上記において棚に着脱自在に取り付けられた複数の収納容器内に各収納区画がそれぞれ構成されると共に、収納容器は開口より取り出し可能とされていることを特徴とする。
【０００７】
請求項３の発明の薬品保管庫は、上記各発明において表示手段を備え、制御手段は、処方データに基づき、取り出す薬品の個数を表示手段にて表示することを特徴とする。
【０００８】
請求項４の発明の薬品保管庫は、上記において表示手段は、各扉のそれぞれに対応して複数設けられていることを特徴とする。
【０００９】
請求項５の発明の薬品保管庫は、上記各発明において駆動手段は、各棚のそれぞれに対応して複数設けられていることを特徴とする。
【００１０】
請求項６の発明の薬品保管庫は、上記各発明において駆動手段は保管室内に設けられると共に、この保管室内には通電されて棚の回転を許容し、非通電とされて棚の回転を禁止する回転阻止手段が設けられ、制御手段は、棚を回転させない状態で、駆動手段及び回転阻止手段を非通電とすることを特徴とする。
【００１１】
請求項７の発明の薬品保管庫は、上記各発明において制御手段は、待機状態において駆動手段により棚を回転させることを特徴とする。
【発明の効果】
【００１２】
本発明によれば、薬品を保管する保管室内を冷却装置により所定温度に冷却して成る薬品保管庫において、保管室内において回転可能に設けられた複数段の棚と、各棚のそれぞれに複数構成され、薬品を収納する収納区画と、棚を回転させるための駆動手段と、各棚のそれぞれに対応して複数構成され、何れかの収納区画内の薬品のみを取り出し可能な開口と、各開口をそれぞれ開閉自在に閉塞する複数の扉と、各扉をそれぞれ施錠する複数の施錠手段と、駆動手段及び施錠手段を制御する制御手段とを備えており、この制御手段が、処方データに基づき、駆動手段により棚を回転させて所定の収納区画を開口に対応させ、当該開口を閉塞する扉の施錠手段を解錠するようにしたので、保管室内にて薬品を冷却しながら保管し、薬効の劣化を防止できると共に、処方された薬品を保管室内から取り出す際には、制御手段が処方データに基づいて自動的に棚を回転させ、当該薬品が収納されている収納区画を開口に対応させて当該開口の扉の施錠手段を解錠する。これにより、作業者は扉が解錠された開口より処方された薬品を取り出すことができる。
【００１３】
このとき、開口からは当該収納区画内の薬品のみ取り出し可能であるので、処方された薬品以外の薬品が保管室内から取り出される不都合を確実に防止することができる。これにより、所謂誤飲や盗難の発生を未然に回避することが可能となる。特に、薬品の取り出しに際しては当該薬品が収納された棚の開口のみ開放すれば済むので、保管室からの冷気漏洩も最小限に抑えられる。これにより、保管室内の冷却性能も高く維持することが可能となる。
【００１４】
また、請求項２の発明によれば、上記に加えて棚に着脱自在に取り付けられた複数の収納容器内に各収納区画をそれぞれ構成すると共に、収納容器を開口より取り出し可能としたので、例えば収納区画に薬品を補充する際には収納容器を開口から取り出した状態で作業を行うことができるようになり、作業性が著しく改善される。
【００１５】
また、請求項３の発明によれば、上記各発明に加えて表示手段を設け、制御手段が、処方データに基づき、取り出す薬品の個数を表示手段にて表示するようにしたので、例えば処方を行った者以外の者が薬品を取り出す際に、誤った数の薬品を取りだしてしまう不都合を未然に回避することが可能となる。この場合、請求項４の如く表示手段を各扉のそれぞれに対応して複数設ければ、複数の棚より薬品を取り出す際にも、数を誤らずにそれぞれの薬品を取り出すことが可能となる。
【００１６】
また、請求項５の発明によれば、上記各発明に加えて駆動手段を各棚のそれぞれに対応して複数設けたので、複数の棚を独立して同時に回転させることができるようになり、作業効率を著しく向上させることができるようになる。
【００１７】
また、請求項６の発明によれば、上記各発明に加えて駆動手段を保管室内に設けると共に、この保管室内に通電されて棚の回転を許容し、非通電とされて棚の回転を禁止する回転阻止手段を設け、制御手段が、棚を回転させない状態で、駆動手段及び回転阻止手段を非通電とするようにしたので、待機状態や棚の所定の収納区画を開口に対応させた停止状態の保持を確実に行えると共に、係る停止状態においては駆動手段や回転阻止手段には通電されないので、これらの発熱が保管室内の冷却性能に及ぼす悪影響も最小限に抑えられるようになる。また、回転阻止手段によって棚が自由に回転されてしまう不都合も防止できるので、処方された薬品以外の薬品が保管室内から取り出される不都合をより確実に防止することができるようになる。
【００１８】
更に、請求項７の発明の如く制御手段が待機状態において駆動手段により棚を回転させるようにすれば、各棚の各収納区画内の薬品を均一に冷却することができるようになり、保存性能を著しく向上させることができるようになる。
【発明を実施するための最良の形態】
【００１９】
以下、図面に基づき本発明の実施形態を詳述する。図１は本発明を適用した一実施例の薬品保管庫１の正面図、図２は薬品保管庫１の斜視図、図３は外扉２を開放した状態の薬品保管庫１の斜視図、図４は外扉２及び内扉３を開放した状態の薬品保管庫１の斜視図、図５は薬品保管庫１の縦断側面図、図６は薬品保管庫１の平断面図、図７は薬品保管庫１の棚４・・・の斜視図、図８は棚４の平面図、図９は薬品保管庫１の収納容器６の正面図、図１０は収納容器６の側面図、図１１は収納容器６の平面図、図１２は収納容器６の底面図、図１３は収納容器６の斜視図、図１４は薬品保管庫１の電気回路のブロック図をそれぞれ示している。
【００２０】
薬品保管庫１は、病院や調剤薬局、大学・メーカーの研究所などに設置されて血液や要冷蔵薬品を冷却しながら保管する装置であり、前面に開口する断熱箱体により本体１１が構成されている。この本体１１の内部には薬品を保管するための保管室１０が構成され、前面が開口しており、この開口は断熱性の外扉２とその内側の内扉３により開閉自在に閉塞されている。尚、この外扉２と内扉３は通常は施錠されており、外扉２は作業中に解錠されて開閉可能とされ、内扉３は保管室１０内のメンテナンス時などに解錠されて開放可能とされている。
【００２１】
本体１１の天面には冷却装置Ｒを構成する圧縮機１２、凝縮器１３、冷却箱１４などが設置されており、この冷却箱１４内に圧縮機１２や凝縮器１３と共に冷却装置Ｒの周知の冷媒回路を構成する図示しない冷却器及び送風機が収納されている。そして、この冷却箱１４内は本体１１の保管室１０内のダクト１６に連通されている。ダクト１６は保管室１０内の天井から背面に渡って設けられており、背面にて上下に位置する部分の側面に複数の冷気吐出口１７が形成され、天井に位置する部分には冷気吸込口１８が形成されている。
【００２２】
保管室１０内には上下に複数段（実施例では七段）の棚４・・・が取り付けられており、冷気吐出口１７は上部の棚４・・上の高さの位置に対応して形成されている。そして、圧縮機１２と送風機が運転されると、冷却器が冷却作用を発揮する。この冷却器と熱交換した冷気は送風機によりダクト１６内に吐出され、ダクト１６内を通過して冷気吐出口１７・・から保管室１０内に吐出される。保管室１０内を循環して内部を冷却した冷気は冷気吸込口１８から送風機の吸込側に帰還する。これにより、保管室１０内は薬品の保存に至適な所定の温度（＋４℃程）に冷却される。
【００２３】
一方、棚４は円盤状を呈しており、各棚４・・・は保管室１０の四隅に位置する四箇所のフレーム１９にそれぞれ取り付けられた水平ローラ２１及び垂直ローラ２２により、保管室１０の中央を中心としてそれぞれ独立して回転可能に支持されている（図８）。また、各棚４の下面には周囲にギヤ溝が形成されたラック板２３がそれぞれ取り付けられており、各ラック板２３のギヤ溝には、各棚４・・のそれぞれに対応して保管室１０内隅部のフレーム１９に取り付けられた複数のモータ（駆動手段）２４の減速ギヤ２６がそれぞれ噛み合っている。このモータ２４により各棚４・・はそれぞれ独立して回転駆動される。
【００２４】
また、保管室１０内隅部には各棚４・・に対応して複数のソレノイド（回転阻止手段）２７がフレーム１９に取り付けられており、各ソレノイド２７・・はそれに対応する棚４の下面に複数（実施例では１２箇所）突設されたピン２８・・・に係脱可能に係合する。この場合、ソレノイド２７は通電されてピン２８から離間し、非通電とされてピン２８に係合する。そして、ソレノイド２７がピン２８に係合した状態で各棚４・・はそれぞれ独立して回転が阻止される。
【００２５】
更に、各棚４・・上には複数（実施例では１２個）の収納容器６・・が載置されて着脱可能に取り付けられ、その内部にそれぞれ薬品を収納する収納区画３１が構成される（図８では１個のみ示す）。収納容器６は図９〜図１３に示すように棚４の中心から実施例では３０度（棚４の全周を１２分割）の角度で開く平面視略扇状を呈しており、扇の要側を棚４の中心方向として棚４上に１２個略隙間無く並べられる。その状態で各収納容器６・・全体として円形となり、この円の内部（棚４上の空間）が中心から放射状に延びる区画壁で１２分割された収納区画３１・・を作り出す。この場合、収納容器６の下面には三角形の係合突部３２が形成されており、この係合突部３２が棚４に１２個形成された三角形の係合孔３３・・に着脱自在に係合して各収納容器６は動かないように位置決めされる。尚、前記ソレノイド２７がピン２８に係合した回転阻止状態で、何れかの収納容器６（収納区画３１）が保管室１０の前面中央に位置するように構成されている（図８）。
【００２６】
収納容器６は周囲に立設された側壁３４（隣接する収納容器６、６の側壁３４、３４が上記区画壁を構成する）を備えた上面に開口する容器であり、棚４の外周側となる側壁３４Ａのみ低く構成され、棚４上に取り付けられた状態では、水平方向からはこの側壁３４Ａ側からのみ収納区画３１内にアクセス可能とされている。
【００２７】
一方、内扉３の中央には上下に７箇所開口３６・・・が形成されている。前記ソレノイド２７がピン２８に係合した状態で、前面中央に位置する収納容器６（収納区画３１）はこの開口３６の後方に対応する。各開口３６は矩形状を呈しており、手指及び収納容器６が一つのみ取り出し／収納可能な程の小さい寸法とされている。このとき、収納容器６には周囲に側壁３４が形成されている関係上、開口３６に対応した収納容器６以外の収納容器６の収納区画３１にはアクセスできない。即ち、開口３６からは当該開口３６に対応した収納容器６の側壁３４Ａ側から当該収納容器６の収納区画３１内のみ手指を挿入してアクセスし、当該収納区画３１内の薬品のみを取り出し可能とされている。
【００２８】
また、各開口３６は内扉３に取り付けられた複数の扉３７・・によってそれぞれ開閉自在に閉塞される。各扉３７・・は後述するロックソレノイド（施錠手段）３８によりそれぞれ独立して施錠／解錠される。また、内扉３の前面には各扉３７・・・それぞれの側方に対応して７セグメントＬＥＤ（表示手段）３９が設けられている。このＬＥＤ３９は薬品の数を表示するものである。尚、４１は外扉２に取り付けられた透視ガラスであり、この透視ガラス４１を通して外扉２を開放すること無く扉３７・・・及びＬＥＤ３９・・・が外から見えるように構成されている。
【００２９】
次に、図１４において４６はマイクロコンピュータから構成された制御装置（制御手段）であり、この制御装置４６の入力には各棚４・・の位置（原点）をそれぞれ検出する位置／原点センサ４７（実際は棚４の数に対応して７個あり）の出力、各棚４・・上に取り付けられた収納容器６・・・を検出する収納確認センサ４８（収納容器６の数だけあり）の出力、及び、保管室１０内の温度を検出する温度センサ４９の出力が接続されている。また、制御手段４６には本体１１の前面上部に配置された操作パネル５１も接続されている。
【００３０】
更に、制御装置４６の出力にはモータ２４（実際は７個あり）、ソレノイド２７（実際は７個有り）、ロックソレノイド３８（実際は７個有り。これも非通電で施錠、通電で解錠）、ＬＥＤ３９（実際は７個有り）、及び、冷却装置Ｒが接続されている。また、制御装置４６は外部のパソコンＰとの間でデータの送受信を行う。
【００３１】
以上の構成で次に薬品保管庫１の動作を説明する。尚、各棚４・・・の各収納容器６・・・内の各収納区画３１・・・にはそれぞれ所定の薬品（血液（バッグ）や要冷蔵薬剤（容器入り））が所定数収納されている。そして、制御装置４６及びパソコンＰには各棚４・・・の各収納容器６・・・内の各収納区画３１・・に収納された薬品の種類（名称）及び数とそれらが収納された収納容器６の位置に関するデータベースが設定されている。この場合、制御装置４６は収納確認センサ４８により全ての棚４・・に取り付けられた収納容器６・・・を検出して把握する。
【００３２】
また、制御装置４６は温度センサ４９の出力に基づき、冷却装置Ｒの圧縮機１２や送風機の運転を制御し、前述した如く冷気を保管室１０内に循環させて保管室１０内を＋４℃±１ｄｅｇの薬品至適温度に維持する。これにより、各収納区画３１・・内の薬品は至適温度にて冷蔵保存される。また、外扉２は解錠され、内扉３は施錠されているものとする。尚、外扉２を常には施錠しておき、後述する扉３７の解錠に合わせて解錠させる方式としてもよい。
【００３３】
例えば医師が処方データをパソコンＰに打ち込むと、この処方データが薬品保管庫１の制御装置４６に送信される。尚、処方データで選択された薬品とその数はパソコンＰのデータベースから差し引かれる。
【００３４】
一方、制御装置４６はパソコンＰから処方データを受け取ると、当該処方データで選択された薬品が収納されている収納容器６（収納区画３１）がある棚４に対応するソレノイド２７に通電してピン２８との係合を解除すると共に、当該棚４に対応するモータ２４に通電して駆動し、棚４を回転させて当該収納容器６（収納区画３１）を前面中央の開口３６後側に対応させる。このとき、制御装置４６は位置／原点センサ４７により原点からの棚４の回転角度を把握して棚４の回転制御を行う。また、モータ２４は正逆回転可能であり、制御装置４６は現在の位置（当該収納容器６の位置）から前面中央までの回転角度が小さい方向に棚４（モータ２４）を回転させる。そして、制御装置４６は前記収納容器６（収納区画３１）が前面中央に来たところでモータ２４を非通電とし、前記ソレノイド２７も非通電としてピン２８に係合させて回転を阻止する。これにより、棚４を自由に回転させることができなくなる。
【００３５】
以後、制御装置４６は待機中基本的にはモータ２４とソレノイド２７は非通電とする。これにより、これらに通電された際の発熱が保管室１０内の冷却に悪影響を及ぼす不都合を抑制する。制御装置４６は処方データで選択された全ての薬品について、それらが収納された収納容器６（収納区画３１）が異なる棚４にある場合には、各棚４を同時に回転させて各薬品が収納された収納容器６（収納区画３１）を前面中央の開口３６の後側に対応させる。尚、同一の棚４の異なる収納容器６（収納区画３１）に選択された薬品が存在する場合には、後述するように先の薬品が取り出された後に（扉３７を施錠した後）、再び当該棚４に対応するソレノイド２７を通電し、ピン２８との係合を解除し、該棚４に対応するモータ２４に通電して棚４を回転させ、残りの薬品の収納容器６（収納区画３１）を前面中央に対応させ、扉３７のロックソレノイド３８を解錠する動作を繰り返すものとする。
【００３６】
制御装置４６は、処方データに基づく薬品が収納された一つ又は複数の棚４の収納容器６（収納区画３１）を前面中央に対応させた後、それ（それら）が対応している開口３６の扉３７のロックソレノイド３８に通電して解錠する。また、当該扉３７に対応するＬＥＤ３９にて、処方データで選択された薬品の数（取り出すべき数）を表示する（複数の棚４から取り出す場合には、各棚４に対応する開口３６の扉３７のＬＥＤ３９にそれぞれ棚４の収納区画３１から取り出すべき薬品の数を表示）。
【００３７】
次に、作業者（例えば看護士など）が外扉２を開放し、ＬＥＤ３９が点灯（数を表示）している扉３７を開ける。そして、その後側に対応している収納区画３１内から表示されている数だけ薬品を取り出して扉３７を閉める。制御装置４６は扉３７が閉じられた場合、ロックソレノイド３８を非通電として扉３７を施錠する。全ての棚４の薬品、或いは、処方データの全ての薬品を取り出し終わったら再び外扉２を閉じて作業を終了する。
【００３８】
このように、薬品保管庫１で薬品を冷却しながら保管するので、薬効の劣化を防止できる。また、処方された薬品を保管室１０内から取り出す際には、制御装置４６が処方データに基づいて自動的に棚４を回転させ、当該薬品が収納されている収納区画３１を開口３６に対応させて当該開口３６の扉３７のロックソレノイド３８を解錠するので、作業者は扉３７が解錠された開口３６より処方された薬品を取り出すことができる。
【００３９】
このとき、開口３６からは当該収納区画３１内の薬品のみ取り出し可能であり、ソレノイド２７がピン２８に係合して棚４の回転を阻止しているので、処方された薬品以外の薬品が保管室１０内から取り出される不都合を確実に防止することができる。従って、所謂誤飲や盗難の発生を未然に回避することが可能となる。この場合、薬品の取り出しに際しては当該薬品が収納された棚４の開口３６のみ開放すれば済むので、保管室１０からの冷気漏洩も最小限に抑えられる。これにより、保管室１０内の冷却性能も高く維持することが可能となる。
【００４０】
また、内扉３にはＬＥＤ３９を設け、制御装置４６が処方データに基づき、取り出す薬品の個数をＬＥＤ３９にて表示するようにしたので、処方を行った医師以外の看護士などが薬品を取り出す際に、誤った数の薬品を取りだしてしまう不都合を未然に回避することが可能となる。この場合、ＬＥＤ３９は各扉３７・・のそれぞれに対応して複数設けられているので、複数の棚４・・より薬品を取り出す際にも、数を誤らずにそれぞれの薬品を取り出すことが可能となる。また、モータ２７も各棚４・・のそれぞれに対応して複数設けられているので、複数の棚４・・を独立して同時に回転させることができ、作業効率は著しく向上する。
【００４１】
尚、このように薬品を取り出すことによって収納区画３１内の薬品が無くなった場合、或いは、数が少なくなった場合には補充する必要がある。その場合にも収納容器６が開口３６より取り出し可能とされているので、収納容器６を開口３６から取り出した状態で補充作業を行うことができるようになり、作業性が著しく改善される。
【００４２】
また、制御装置４６は待機状態において、一定時間毎に各棚４・・のソレノイド２７を通電し、且つ、モータ２４にも通電して、例えば棚４を半回転（１８０度）回転させる。これにより、保管室１０内における収納区画３１の位置が変化するので、各棚４・・の各収納区画３１・・内の薬品を均一に冷却することができるようになり、保存性能を著しく向上させることができるようになる。
【００４３】
尚、実施例では棚４上に取り付けられた複数の収納容器６内に複数の収納区画３１を構成したが、請求項１の発明ではそれに限らず、棚４上を区画壁にて区画して複数の収納区画を構成してもよい。
【図面の簡単な説明】
【００４４】
【図１】本発明を適用した一実施例の薬品保管庫の正面図である。
【図２】図１の薬品保管庫の斜視図である。
【図３】外扉を開放した状態の図１の薬品保管庫の斜視図である。
【図４】外扉及び内扉を開放した状態の図１の薬品保管庫の斜視図である。
【図５】図１の薬品保管庫の縦断側面図である。
【図６】図１の薬品保管庫の平断面図である。
【図７】図１の薬品保管庫の棚の斜視図である。
【図８】図７の棚の平面図である。
【図９】図１の薬品保管庫の収納容器の正面図である。
【図１０】図９の収納容器の側面図である。
【図１１】図９の収納容器の平面図である。
【図１２】図９の収納容器の底面図である。
【図１３】図９の収納容器の斜視図である。
【図１４】図１の薬品保管庫の電気回路のブロック図である。
【符号の説明】
【００４５】
１  薬品保管庫
２  外扉
３  内扉
４  棚
６  収納容器
１０  保管室
１１  本体
２４  モータ（駆動手段）
２７  ソレノイド（回転阻止手段）
３１  収納区画
３６  開口
３７  扉
３８  ロックソレノイド（施錠手段）
３９  ＬＥＤ（表示手段）
４６  制御装置（制御手段）
Ｒ  冷却装置
【図１】
2008119040.tif 000003
【図２】
2008119040.tif 000004
【図３】
2008119040.tif 000005
【図４】
2008119040.tif 000006
【図５】
2008119040.tif 000007
【図６】
2008119040.tif 000008
【図７】
2008119040.tif 000009
【図８】
2008119040.tif 000010
【図９】
2008119040.tif 000011
【図１０】
2008119040.tif 000012
【図１１】
2008119040.tif 000013
【図１２】
2008119040.tif 000014
【図１３】
2008119040.tif 000015
【図１４】
2008119040.tif 000016